(57)【特許請求の範囲】
【請求項１】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項２】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項３】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項４】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項５】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項６】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項７】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項８】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項９】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、
前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、
前記燃料ガス用切換時期確認手段からの情報に基づいて、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項１０】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記燃料ガス供給手段と前記第一のサブスタックの前記燃料ガス流路の一方の口とを接続する第一の燃料ガス用ラインと、
前記第一のサブスタックの前記燃料ガス流路の他方の口と前記第二のサブスタックの前記燃料ガス流路の一方の口とを接続する第二の燃料ガス用ラインと、
前記第二のサブスタックの前記燃料ガス流路の他方の口と前記第一の燃料ガス用ラインとを接続する第三の燃料ガス用ラインと、
前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、
前記第二の燃料ガス用ラインと前記第三の燃料ガス用ラインとを接続する第五の燃料ガス用ラインと、
前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、
前記第一の燃料ガス用ラインの、前記第三の燃料ガス用ラインの接続部分と前記第四の燃料ガス用ラインの接続部分との間を断接する第一の燃料ガス用断接手段と、
前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、
前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、
前記第二の燃料ガス用ラインの、前記第五の燃料ガス用ラインの接続部分と前記第六の燃料ガス用ラインの接続部分との間を断接する第四の燃料ガス用断接手段と、
前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、
前記第三の燃料ガス用ラインの、前記第二のスタックと前記第四の燃料ガス用ラインの接続部分との間を断接する第六の燃料ガス用断接手段と、
前記第三の燃料ガス用ラインの、前記第四の燃料ガス用ラインの接続部分と前記第五の燃料ガス用ラインの接続部分との間を断接する第七の燃料ガス用断接手段と、
前記第三の燃料ガス用ラインの、前記第一の燃料ガス用ラインの接続部分と前記第五の燃料ガス用ラインの接続部分との間を断接する第八の燃料ガス用断接手段と、
前記第四の燃料ガス用ラインの、前記第三の燃料ガス用ラインの接続部分と前記第六の燃料ガス用ラインの接続部分との間を断接する第九の燃料ガス用断接手段と、
前記第四の燃料ガス用ラインの、前記第一の燃料ガス用ラインの接続部分と前記第六の燃料ガス用ラインの接続部分との間を断接する第十の燃料ガス用断接手段と、
前記第五の燃料ガス用ラインに設けられた第十一の燃料ガス用断接手段と、
前記第六の燃料ガス用ラインに設けられた第十二の燃料ガス用断接手段と、
前記サブスタックから前記燃料ガスと共に送出された水を当該燃料ガスから分離する燃料ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、
前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、
前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、
前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御する、
ことを繰り返して行うように前記燃料ガス用切換時期確認手段からの情報に基づいて前記第一〜十二の燃料ガス用断接手段を制御する燃料ガス用制御手段と
を備えていることを特徴とする固体高分子形燃料電池発電システム。
【請求項１１】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１２】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１３】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１４】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１５】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１６】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１７】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１８】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項１９】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、
前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、
前記酸化ガス用切換時期確認手段からの情報に基づいて、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項２０】
固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、
前記固体高分子形燃料電池に燃料ガスを供給する燃料ガス供給手段と、
前記固体高分子形燃料電池に酸化ガスを供給する酸化ガス供給手段と
を備えている固体高分子形燃料電池発電システムにおいて、
前記酸化ガス供給手段と前記第一のサブスタックの前記酸化ガス流路の一方の口とを接続する第一の酸化ガス用ラインと、
前記第一のサブスタックの前記酸化ガス流路の他方の口と前記第二のサブスタックの前記酸化ガス流路の一方の口とを接続する第二の酸化ガス用ラインと、
前記第二のサブスタックの前記酸化ガス流路の他方の口と前記第一の酸化ガス用ラインとを接続する第三の酸化ガス用ラインと、
前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、
前記第二の酸化ガス用ラインと前記第三の酸化ガス用ラインとを接続する第五の酸化ガス用ラインと、
前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、
前記第一の酸化ガス用ラインの、前記第三の酸化ガス用ラインの接続部分と前記第四の酸化ガス用ラインの接続部分との間を断接する第一の酸化ガス用断接手段と、
前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、
前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、
前記第二の酸化ガス用ラインの、前記第五の酸化ガス用ラインの接続部分と前記第六の酸化ガス用ラインの接続部分との間を断接する第四の酸化ガス用断接手段と、
前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、
前記第三の酸化ガス用ラインの、前記第二のスタックと前記第四の酸化ガス用ラインの接続部分との間を断接する第六の酸化ガス用断接手段と、
前記第三の酸化ガス用ラインの、前記第四の酸化ガス用ラインの接続部分と前記第五の酸化ガス用ラインの接続部分との間を断接する第七の酸化ガス用断接手段と、
前記第三の酸化ガス用ラインの、前記第一の酸化ガス用ラインの接続部分と前記第五の酸化ガス用ラインの接続部分との間を断接する第八の酸化ガス用断接手段と、
前記第四の酸化ガス用ラインの、前記第三の酸化ガス用ラインの接続部分と前記第六の酸化ガス用ラインの接続部分との間を断接する第九の酸化ガス用断接手段と、
前記第四の酸化ガス用ラインの、前記第一の酸化ガス用ラインの接続部分と前記第六の酸化ガス用ラインの接続部分との間を断接する第十の酸化ガス用断接手段と、
前記第五の酸化ガス用ラインに設けられた第十一の酸化ガス用断接手段と、
前記第六の酸化ガス用ラインに設けられた第十二の酸化ガス用断接手段と、
前記サブスタックから前記酸化ガスと共に送出された水を当該酸化ガスから分離する酸化ガス用気液分離手段と、
運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、
前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、
前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、
前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御する、
ことを繰り返して行うように前記酸化ガス用切換時期確認手段からの情報に基づいて前記第一〜十二の酸化ガス用断接手段を制御する酸化ガス用制御手段と
を備えていることを特徴とする固体高分子形酸化電池発電システム。
【請求項２１】
請求項１から請求項１０のいずれか一項に記載の固体高分子形燃料電池発電システムにおいて、
前記燃料ガスが、濃度９９％以上の水素ガスである
ことを特徴とする固体高分子形燃料電池発電システム。
【請求項２２】
請求項１１から請求項２０のいずれか一項に記載の固体高分子形酸化電池発電システムにおいて、
前記酸化ガスが、濃度９９％以上の酸素ガスである
ことを特徴とする固体高分子形酸化電池発電システム。
【発明の詳細な説明】
【技術分野】
【０００１】
本発明は、固体高分子形燃料電池発電システムに関し、特に、水素ガスを燃料ガスとして用いる場合や、酸素ガスを酸化ガスとして用いる場合に適用すると、極めて有効である。
【背景技術】
【０００２】
固体高分子形燃料電池は、プロトン伝導性を有する固体高分子電解質膜を導電性及びガス透過性を有する燃料極及び酸化極で挟んだセルと、水素ガスを含有する燃料ガスの流路及び酸素ガスを含有する酸化ガスの流路をそれぞれ形成されると共に導電性を有するセパレータとを交互に複数積層して積層方向両端側を一対のエンドフランジで挟み込んで構成されている。
【０００３】
このような固体高分子形燃料電池を備えた固体高分子形燃料電池発電システムにおいては、固体高分子形燃料電池の上記エンドフランジに形成された燃料ガス受入口及び酸化ガス受入口から燃料ガス及び酸化ガスをそれぞれ供給すると、当該燃料ガス及び当該酸化ガスが各上記セパレータの各上記流路内をそれぞれ流通して、前記水素ガス及び前記酸素ガスが上記セルで電気化学的に反応して電力を取り出すことができるようになっている。
【０００４】
そして、使用済みの上記燃料ガス及び上記酸化ガスは、上記電気化学反応に伴って生じた生成水と共に各上記流路を流通して、上記エンドフランジに形成された燃料ガス排出口及び酸化ガス排出口から外部へそれぞれ排出されるようになっている。
【０００５】
ここで、例えば、水素ガスそのものを燃料ガスとして使用する場合や酸素ガスそのものを酸化ガスとして使用する場合には、上記ガス排出口にドレンセパレータを介してブロアやエジェクタ等のガス循環装置のガス受入口を接続すると共に、当該ガス循環装置のガス送出口を上記ガス受入口に接続することにより、上記生成水と上記電気化学反応に供されなかった水素ガス及び酸素ガスとを上記ガス排出口から排出させてドレンセパレータで分離させた後、当該ガスを上記ガス受入口に戻して新たな上記ガスと共に再び供給するようにして、これらガスを有効利用するようにしている。
【０００６】
ところが、このようにして水素ガスそのものを燃料ガスとして使用するときや酸素ガスそのものを酸化ガスとして使用するときには、前述したようなガス循環装置を利用するため、余計に電力を消費してしまい、発電システム全体の電力効率が悪くなってしまっている。
【０００７】
そこで、例えば、下記特許文献１等においては、セルとセパレータとを交互に複数積層したサブスタックを、燃料ガス及び酸化ガスの流通経路を直列ループ状にするように複数（例えば２つ）接続して固体高分子形燃料電池を構成し、燃料ガス供給手段及び酸化ガス供給手段を各サブスタックの燃料ガス受入口及び酸化ガス受入口にそれぞれ接続して、これらサブスタック同士の間の上記ガスの流通経路に気液分離手段をそれぞれ配設し、上記ガス供給手段と各サブスタックの上記ガス受入口との間をそれぞれ切断又は接続する燃料ガス用上流位置切換手段及び酸化ガス用上流位置切換手段を設けると共に、上記サブスタック同士の間の上記ガスの流通経路をそれぞれ切断又は接続する燃料ガス用下流位置切換手段及び酸化ガス用下流位置切換手段を設け、例えば、所定時間運転したら、上記ガスの流通方向上流側及び下流側に位置するサブスタックをそれぞれ切り換えるように上記位置切換手段をそれぞれ作動させることにより、前述したようなガス循環装置がなくても上記スタックから水分を排出しながら当該水分で上記ガスを加湿して有効利用できるようにし、システム全体の電力効率を向上させるようにした固体高分子形燃料電池発電システムを提案している。
【先行技術文献】
【特許文献】
【０００８】
【特許文献１】特開２００８−１４７１７８号公報
【特許文献２】特開２００８−１４７１７９号公報
【特許文献３】特開２００４−１５８３７９号公報
【特許文献４】特開２００９−０５４４７１号公報
【発明の概要】
【発明が解決しようとする課題】
【０００９】
しかしながら、上記特許文献１等に記載されている上記固体高分子形燃料電池発電システムにおいては、前記ガスの供給源から送給される前記ガスが乾燥していることから、前記サブスタックの前記セルの前記固体高分子電解質膜の前記ガス受入口側の含水率が低下して乾燥しやすく、長期間にわたって連続して発電運転を行なっていくと、当該サブスタックに供給する当該ガスの流量や流速等の発電運転条件によっては、当該固体高分子電解質膜の前記ガス受入口側の劣化を引き起こして当該固体高分子電解質膜の寿命を低下させてしまう可能性があった。
【００１０】
このようなことから、本発明は、長期間にわたって連続して発電運転を行なっても、固体高分子電解質膜の寿命の低下を大幅に抑制することができる固体高分子形燃料電池発電システムを提供することを目的とする。
【課題を解決するための手段】
【００１１】
前述した課題を解決するための、第一番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第二番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第三番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第四番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第五番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第六番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第七番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第八番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第九番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の一方の口に供給して当該第一のサブスタックの当該燃料ガス流通路の他方の口からの燃料ガスを前記第二のサブスタックの前記燃料ガス流路の一方の口に供給するように、前記第一〜五の燃料ガス用断接手段を接続制御すると共に前記第六〜十二の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の他方の口に供給するように、前記第三〜八の燃料ガス用断接手段を接続制御すると共に前記第一，二，九〜十二の燃料ガス用断接手段を切断制御した後に、前記燃料ガス供給手段からの燃料ガスを前記第一のサブスタックの前記燃料ガス流路の一方の口に供給して当該第一のサブスタックの当該燃料ガス流路の他方の口からの燃料ガスを前記第二のサブスタックの前記燃料ガス流路の他方の口に供給するように、前記第一〜四，六，九，十二の燃料ガス用断接手段を接続制御すると共に前記第五，七，八，十，十一の燃料ガス用断接手段を切断制御した後に、前記燃料ガス用切換時期確認手段からの情報に基づいて、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の他方の口に供給するように、前記第一，三，五〜七，十〜十二の燃料ガス用断接手段を接続制御すると共に前記第二，四，八，九の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
また、前述した課題を解決するための、第十番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記燃料ガス供給手段と前記第一のサブスタックの前記燃料ガス流路の一方の口とを接続する第一の燃料ガス用ラインと、前記第一のサブスタックの前記燃料ガス流路の他方の口と前記第二のサブスタックの前記燃料ガス流路の一方の口とを接続する第二の燃料ガス用ラインと、前記第二のサブスタックの前記燃料ガス流路の他方の口と前記第一の燃料ガス用ラインとを接続する第三の燃料ガス用ラインと、前記第一の燃料ガス用ラインの前記第三の燃料ガス用ラインとの接続部分と前記燃料ガス供給手段又は前記第一のスタックとの間と前記第三の燃料ガス用ラインとを接続する第四の燃料ガス用ラインと、前記第二の燃料ガス用ラインと前記第三の燃料ガス用ラインとを接続する第五の燃料ガス用ラインと、前記第二の燃料ガス用ラインの前記第五の燃料ガス用ラインとの接続部分と前記第一のスタック又は前記第二のスタックとの間と前記第四の燃料ガス用ラインとを接続する第六の燃料ガス用ラインと、前記第一の燃料ガス用ラインの、前記第三の燃料ガス用ラインの接続部分と前記第四の燃料ガス用ラインの接続部分との間を断接する第一の燃料ガス用断接手段と、前記第一の燃料ガス用ラインの、前記第三の燃料ガス用ラインの接続部分及び前記第四の燃料ガス用ラインの接続部分よりも前記第一のサブスタック側を断接する第二の燃料ガス用断接手段と、前記第二の燃料ガス用ラインの、前記第五の燃料ガス用ラインの接続部分及び前記第六の燃料ガス用ラインの接続部分よりも前記第一のサブスタック側を断接する第三の燃料ガス用断接手段と、前記第二の燃料ガス用ラインの、前記第五の燃料ガス用ラインの接続部分と前記第六の燃料ガス用ラインの接続部分との間を断接する第四の燃料ガス用断接手段と、前記第二の燃料ガス用ラインの、前記第五の燃料ガス用ラインの接続部分及び前記第六の燃料ガス用ラインの接続部分よりも前記第二のサブスタック側を断接する第五の燃料ガス用断接手段と、前記第三の燃料ガス用ラインの、前記第二のスタックと前記第四の燃料ガス用ラインの接続部分との間を断接する第六の燃料ガス用断接手段と、前記第三の燃料ガス用ラインの、前記第四の燃料ガス用ラインの接続部分と前記第五の燃料ガス用ラインの接続部分との間を断接する第七の燃料ガス用断接手段と、前記第三の燃料ガス用ラインの、前記第一の燃料ガス用ラインの接続部分と前記第五の燃料ガス用ラインの接続部分との間を断接する第八の燃料ガス用断接手段と、前記第四の燃料ガス用ラインの、前記第三の燃料ガス用ラインの接続部分と前記第六の燃料ガス用ラインの接続部分との間を断接する第九の燃料ガス用断接手段と、前記第四の燃料ガス用ラインの、前記第一の燃料ガス用ラインの接続部分と前記第六の燃料ガス用ラインの接続部分との間を断接する第十の燃料ガス用断接手段と、前記第五の燃料ガス用ラインに設けられた第十一の燃料ガス用断接手段と、前記第六の燃料ガス用ラインに設けられた第十二の燃料ガス用断接手段と、前記サブスタックから前記燃料ガスと共に送出された水を当該燃料ガスから分離する燃料ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する燃料ガス用切換時期確認手段と、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の一方の口に供給するように、前記第二，三，五，八，十〜十二の燃料ガス用断接手段を接続制御すると共に前記第一，四，六，七，九の燃料ガス用断接手段を切断制御した後に、前記燃料ガス供給手段からの燃料ガスを前記第二のサブスタックの前記燃料ガス流路の他方の口に供給して当該第二のサブスタックの当該燃料ガス流路の一方の口からの燃料ガスを前記第一のサブスタックの前記燃料ガス流路の一方の口に供給するように、前記第二，五〜八，十，十二の燃料ガス用断接手段を接続制御すると共に前記第一，三，四，九，十一の燃料ガス用断接手段を切断制御した後に、前記燃料ガス供給手段からの燃料ガスを前記第一のサブスタックの前記燃料ガス流路の他方の口に供給して当該第一のサブスタックの当該燃料ガス流路の一方の口からの燃料ガスを前記第二のサブスタックの前記燃料ガス流路の他方の口に供給するように、前記第二，三，六，八〜十一の燃料ガス用断接手段を接続制御すると共に前記第一，四，五，七，十二の燃料ガス用断接手段を切断制御した後に、前記燃料ガス供給手段からの燃料ガスを前記第二のサブスタックの前記燃料ガス流路の一方の口に供給して当該第二のサブスタックの当該燃料ガス流路の他方の口からの燃料ガスを前記第一のサブスタックの前記燃料ガス流路の一方の口に供給するように、前記第二，四〜六，八〜十一の燃料ガス用断接手段を接続制御すると共に前記第一，三，七，十二の燃料ガス用断接手段を切断制御する、ことを繰り返して行うように前記燃料ガス用切換時期確認手段からの情報に基づいて前記第一〜十二の燃料ガス用断接手段を制御する燃料ガス用制御手段とを備えていることを特徴とする。
【００１２】
さらに、前述した課題を解決するための、第十一番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十二番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十三番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十四番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十五番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十六番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十七番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十八番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第十九番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の一方の口に供給して当該第一のサブスタックの当該酸化ガス流通路の他方の口からの酸化ガスを前記第二のサブスタックの前記酸化ガス流路の一方の口に供給するように、前記第一〜五の酸化ガス用断接手段を接続制御すると共に前記第六〜十二の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の他方の口に供給するように、前記第三〜八の酸化ガス用断接手段を接続制御すると共に前記第一，二，九〜十二の酸化ガス用断接手段を切断制御した後に、前記酸化ガス供給手段からの酸化ガスを前記第一のサブスタックの前記酸化ガス流路の一方の口に供給して当該第一のサブスタックの当該酸化ガス流路の他方の口からの酸化ガスを前記第二のサブスタックの前記酸化ガス流路の他方の口に供給するように、前記第一〜四，六，九，十二の酸化ガス用断接手段を接続制御すると共に前記第五，七，八，十，十一の酸化ガス用断接手段を切断制御した後に、前記酸化ガス用切換時期確認手段からの情報に基づいて、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の他方の口に供給するように、前記第一，三，五〜七，十〜十二の酸化ガス用断接手段を接続制御すると共に前記第二，四，八，九の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
また、前述した課題を解決するための、第二十番目の発明に係る固体高分子形燃料電池発電システムは、固体高分子電解質膜を燃料極及び酸化極で挟んだセルと燃料ガス流路及び酸化ガス流路をそれぞれ形成されたセパレータとを交互に複数積層した第一のサブスタック及び第二のサブスタックを有する固体高分子形燃料電池と、前記固体高分子形燃料電池に燃料ガスを供給する燃料ガス供給手段と、前記固体高分子形燃料電池に酸化ガスを供給する酸化ガス供給手段とを備えている固体高分子形燃料電池発電システムにおいて、前記酸化ガス供給手段と前記第一のサブスタックの前記酸化ガス流路の一方の口とを接続する第一の酸化ガス用ラインと、前記第一のサブスタックの前記酸化ガス流路の他方の口と前記第二のサブスタックの前記酸化ガス流路の一方の口とを接続する第二の酸化ガス用ラインと、前記第二のサブスタックの前記酸化ガス流路の他方の口と前記第一の酸化ガス用ラインとを接続する第三の酸化ガス用ラインと、前記第一の酸化ガス用ラインの前記第三の酸化ガス用ラインとの接続部分と前記酸化ガス供給手段又は前記第一のスタックとの間と前記第三の酸化ガス用ラインとを接続する第四の酸化ガス用ラインと、前記第二の酸化ガス用ラインと前記第三の酸化ガス用ラインとを接続する第五の酸化ガス用ラインと、前記第二の酸化ガス用ラインの前記第五の酸化ガス用ラインとの接続部分と前記第一のスタック又は前記第二のスタックとの間と前記第四の酸化ガス用ラインとを接続する第六の酸化ガス用ラインと、前記第一の酸化ガス用ラインの、前記第三の酸化ガス用ラインの接続部分と前記第四の酸化ガス用ラインの接続部分との間を断接する第一の酸化ガス用断接手段と、前記第一の酸化ガス用ラインの、前記第三の酸化ガス用ラインの接続部分及び前記第四の酸化ガス用ラインの接続部分よりも前記第一のサブスタック側を断接する第二の酸化ガス用断接手段と、前記第二の酸化ガス用ラインの、前記第五の酸化ガス用ラインの接続部分及び前記第六の酸化ガス用ラインの接続部分よりも前記第一のサブスタック側を断接する第三の酸化ガス用断接手段と、前記第二の酸化ガス用ラインの、前記第五の酸化ガス用ラインの接続部分と前記第六の酸化ガス用ラインの接続部分との間を断接する第四の酸化ガス用断接手段と、前記第二の酸化ガス用ラインの、前記第五の酸化ガス用ラインの接続部分及び前記第六の酸化ガス用ラインの接続部分よりも前記第二のサブスタック側を断接する第五の酸化ガス用断接手段と、前記第三の酸化ガス用ラインの、前記第二のスタックと前記第四の酸化ガス用ラインの接続部分との間を断接する第六の酸化ガス用断接手段と、前記第三の酸化ガス用ラインの、前記第四の酸化ガス用ラインの接続部分と前記第五の酸化ガス用ラインの接続部分との間を断接する第七の酸化ガス用断接手段と、前記第三の酸化ガス用ラインの、前記第一の酸化ガス用ラインの接続部分と前記第五の酸化ガス用ラインの接続部分との間を断接する第八の酸化ガス用断接手段と、前記第四の酸化ガス用ラインの、前記第三の酸化ガス用ラインの接続部分と前記第六の酸化ガス用ラインの接続部分との間を断接する第九の酸化ガス用断接手段と、前記第四の酸化ガス用ラインの、前記第一の酸化ガス用ラインの接続部分と前記第六の酸化ガス用ラインの接続部分との間を断接する第十の酸化ガス用断接手段と、前記第五の酸化ガス用ラインに設けられた第十一の酸化ガス用断接手段と、前記第六の酸化ガス用ラインに設けられた第十二の酸化ガス用断接手段と、前記サブスタックから前記酸化ガスと共に送出された水を当該酸化ガスから分離する酸化ガス用気液分離手段と、運転時間、前記固体高分子形燃料電池の前記サブスタックの前記セルの電圧値、前記固体高分子形燃料電池の前記サブスタックの前記セルの抵抗値、のうちの少なくとも一つを計測する酸化ガス用切換時期確認手段と、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の一方の口に供給するように、前記第二，三，五，八，十〜十二の酸化ガス用断接手段を接続制御すると共に前記第一，四，六，七，九の酸化ガス用断接手段を切断制御した後に、前記酸化ガス供給手段からの酸化ガスを前記第二のサブスタックの前記酸化ガス流路の他方の口に供給して当該第二のサブスタックの当該酸化ガス流路の一方の口からの酸化ガスを前記第一のサブスタックの前記酸化ガス流路の一方の口に供給するように、前記第二，五〜八，十，十二の酸化ガス用断接手段を接続制御すると共に前記第一，三，四，九，十一の酸化ガス用断接手段を切断制御した後に、前記酸化ガス供給手段からの酸化ガスを前記第一のサブスタックの前記酸化ガス流路の他方の口に供給して当該第一のサブスタックの当該酸化ガス流路の一方の口からの酸化ガスを前記第二のサブスタックの前記酸化ガス流路の他方の口に供給するように、前記第二，三，六，八〜十一の酸化ガス用断接手段を接続制御すると共に前記第一，四，五，七，十二の酸化ガス用断接手段を切断制御した後に、前記酸化ガス供給手段からの酸化ガスを前記第二のサブスタックの前記酸化ガス流路の一方の口に供給して当該第二のサブスタックの当該酸化ガス流路の他方の口からの酸化ガスを前記第一のサブスタックの前記酸化ガス流路の一方の口に供給するように、前記第二，四〜六，八〜十一の酸化ガス用断接手段を接続制御すると共に前記第一，三，七，十二の酸化ガス用断接手段を切断制御する、ことを繰り返して行うように前記酸化ガス用切換時期確認手段からの情報に基づいて前記第一〜十二の酸化ガス用断接手段を制御する酸化ガス用制御手段とを備えていることを特徴とする。
【００１４】
第二十一番目の発明に係る固体高分子形燃料電池発電システムは、第一番目から第十番目の発明のいずれかにおいて、前記燃料ガスが、濃度９９％以上の水素ガスであることを特徴とする。
【００１５】
第二十二番目の発明に係る固体高分子形燃料電池発電システムは、第十一番目から第二十番目の発明のいずれかにおいて、前記酸化ガスが、濃度９９％以上の酸素ガスであることを特徴とする。
【発明の効果】
【００１６】
本発明に係る固体高分子形燃料電池発電システムによれば、制御手段が、切換時期確認手段からの情報に基づいて、ガス供給手段からのガスを、当該ガスの流通方向下流側に位置する第一のサブスタック及び第二のサブスタックの一方のサブスタックのガス流路の当該ガスの流通方向下流側の口から当該一方のサブスタックの当該ガス流路に供給すると共に、当該一方のサブスタックの当該ガス流路を流通した前記ガスを、第一のサブスタック及び第二のサブスタックの他方のサブスタックの前記ガス流路に供給するように、断接手段を制御することから、ブロアやエジェクタ等のガス循環装置がなくても、前記サブスタック内に生成した水を当該サブスタック内から排出することができるのはもちろんのこと、加湿器等がなくても、ガス供給手段から送給される前記ガスを前記サブスタック内に加湿して供給することができると共に、ガス供給手段からそのままの状態で前記ガスを供給される前記サブスタックの前記ガス流路の口を従来（２箇所）よりも増やすことができるので（４箇所）、前記サブスタックの前記セルの前記固体高分子電解質膜の、前記ガス流路の口寄り部分の劣化を抑制することができる。そのため、長期間にわたって連続して発電運転を行なっても、固体高分子電解質膜の寿命の低下を大幅に抑制することができる。
【図面の簡単な説明】
【００１７】
【図１】本発明に係る固体高分子形燃料電池発電システムの主な実施形態の主要部の燃料ガス系統の概略構成図である。
【図２】本発明に係る固体高分子形燃料電池発電システムの主な実施形態の主要部の酸化ガス系統の概略構成図である。
【図３Ａ】図１の作動説明図である。
【図３Ｂ】図３Ａに続く作動説明図である。
【図３Ｃ】図３Ｂに続く作動説明図である。
【図３Ｄ】図３Ｃに続く作動説明図である。
【図３Ｅ】図３Ｄに続く作動説明図である。
【図３Ｆ】図３Ｅに続く作動説明図である。
【図３Ｇ】図３Ｆに続く作動説明図である。
【図３Ｈ】図３Ｇに続く作動説明図である。
【発明を実施するための形態】
【００１８】
本発明に係る固体高分子形燃料電池発電システムの実施形態を図面に基づいて説明するが、本発明は図面に基づいて説明する以下の実施形態のみに限定されるものではない。
【００１９】
［主な実施形態］
本発明に係る固体高分子形燃料電池発電システムの主な実施形態を図１，２，３Ａ〜３Ｈに基づいて説明する。
【００２０】
図１，２に示すように、固体高分子形燃料電池１１０は、プロトン伝導性を有する固体高分子電解質膜を導電性及びガス透過性を有する燃料極及び酸化極で挟んだセルと、燃料ガスの流路及び酸化ガスの流路をそれぞれ形成されると共に導電性を有するセパレータとを交互に複数積層して、積層方向両端側を一対のエンドフランジで挟み込んで構成された第一のサブスタック１１１及び第二のサブスタック１１２を有している。
【００２１】
図１に示すように、燃料ガスである濃度９９％以上の水素ガス１を供給する燃料ガス供給手段である水素ガス供給源１２１は、前記第一のサブスタック１１１のエンドフランジに形成された、燃料ガスの流路の一方の口に、第一の燃料ガス用ライン１４１を介して接続している。
【００２２】
前記第一のサブスタック１１１のエンドフランジに形成された、燃料ガスの流路の他方の口は、前記第二のサブスタック１１２のエンドフランジに形成された、燃料ガスの流路の他方の口に、第二の燃料ガス用ライン１４２を介して接続している。
【００２３】
前記第二のサブスタック１１２のエンドフランジに形成された、燃料ガスの流路の他方の口は、前記第一の燃料ガス用ライン１４１の途中に第三の燃料ガス用ライン１４３を介して接続している。
【００２４】
前記第二の燃料ガス用ライン１４２の途中と前記第三の燃料ガス用ライン１４３の途中とは、第五の燃料ガス用ライン１４５を介して接続している。
【００２５】
前記第一の燃料ガス用ライン１４１の前記第三の燃料ガス用ライン１４３との接続部分と前記第一のサブスタック１１１との間と、前記第三の燃料ガス用ライン１４３の前記第五の燃料ガス用ライン１４５との接続部分と前記第二のサブスタック１１２との間は、第四の燃料ガス用ライン１４４を介して接続している。
【００２６】
前記第二の燃料ガス用ライン１４２の前記第五の燃料ガス用ライン１４５との接続部分と前記第二のサブスタック１１２との間は、前記第四の燃料ガス用ライン１４４の途中に第六の燃料ガス用ライン１４６を介して接続している。
【００２７】
前記第一の燃料ガス用ライン１４１の、前記第三の燃料ガス用ライン１４３の接続部分と前記第四の燃料ガス用ライン１４４の接続部分との間には、当該間を断接する第一の燃料ガス用断接手段である第一の燃料ガス用バルブ１４０Ａが設けられている。
【００２８】
前記第一の燃料ガス用ライン１４１の、前記第三の燃料ガス用ライン１４３の接続部分及び前記第四の燃料ガス用ライン１４４の接続部分よりも前記第一のサブスタック１１１側、すなわち、前記第四の燃料ガス用ライン１４４の接続部分と前記第一のサブスタック１１１との間には、当該間を断接する第二の燃料ガス用断接手段である第二の燃料ガス用バルブ１４０Ｂが設けられている。
【００２９】
前記第二の燃料ガス用ライン１４２の、前記第五の燃料ガス用ライン１４５の接続部分及び前記第六の燃料ガス用ライン１４６の接続部分よりも前記第一のサブスタック１１１側、すなわち、前記第五の燃料ガス用ライン１４５の接続部分と前記第一のサブスタック１１１との間には、当該間を断接する第三の燃料ガス用断接手段である第三の燃料ガス用バルブ１４０Ｃが設けられている。
【００３０】
前記第二の燃料ガス用ライン１４２の、前記第五の燃料ガス用ライン１４５の接続部分と前記第六の燃料ガス用ライン１４６の接続部分との間には、当該間を断接する第四の燃料ガス用断接手段である第四の燃料ガス用バルブ１４０Ｄが設けられている。
【００３１】
前記第二の燃料ガス用ライン１４２の、前記第五の燃料ガス用ライン１４５の接続部分及び前記第六の燃料ガス用ライン１４６の接続部分よりも前記第二のサブスタック１１２側、すなわち、前記第六の燃料ガス用ライン１４６の接続部分と前記第二のサブスタック１１２との間には、当該間を断接する第五の燃料ガス用断接手段である第五の燃料ガス用バルブ１４０Ｅが設けられている。
【００３２】
前記第三の燃料ガス用ライン１４３の、前記第二のサブスタック１１２と前記第四の燃料ガス用ライン１４４の接続部分との間には、当該間を断接する第六の燃料ガス用断接手段である第六の燃料ガス用バルブ１４０Ｆが設けられている。
【００３３】
前記第三の燃料ガス用ライン１４３の、前記第四の燃料ガス用ライン１４４の接続部分と前記第五の燃料ガス用ライン１４５の接続部分との間には、当該間を断接する第七の燃料ガス用断接手段である第七の燃料ガス用バルブ１４０Ｇが設けられている。
【００３４】
前記第三の燃料ガス用ライン１４３の、前記第一の燃料ガス用ライン１４１の接続部分と前記第五の燃料ガス用ライン１４５の接続部分との間には、当該間を断接する第八の燃料ガス用断接手段である第八の燃料ガス用バルブ１４０Ｈが設けられている。
【００３５】
前記第四の燃料ガス用ライン１４４の、前記第三の燃料ガス用ライン１４３の接続部分と前記第六の燃料ガス用ライン１４６の接続部分との間には、当該間を断接する第九の燃料ガス用断接手段である第九の燃料ガス用バルブ１４０Ｉが設けられている。
【００３６】
前記第四の燃料ガス用ライン１４４の、前記第一の燃料ガス用ライン１４１の接続部分と前記第六の燃料ガス用ライン１４６の接続部分との間には、当該間を断接する第十の燃料ガス用断接手段である第十の燃料ガス用バルブ１４０Ｊが設けられている。
【００３７】
前記第五の燃料ガス用ライン１４５の途中には、当該ライン１４５を断接する第十一の燃料ガス用断接手段である第十一の燃料ガス用バルブ１４０Ｋが設けられている。
【００３８】
前記第六の燃料ガス用ライン１４６の途中には、当該ライン１４６を断接する第十二の燃料ガス用断接手段である第十二の燃料ガス用バルブ１４０Ｌが設けられている。
【００３９】
前記第一の燃料ガス用ライン１４１の、前記第一のサブスタック１１１の燃料ガスの流路の一方の口と前記第二の燃料ガス用バルブ１４０Ｂとの間には、ドレンセパレータ１２２が設けられている。
【００４０】
前記第二の燃料ガス用ライン１４２の、前記第一のサブスタック１１１の燃料ガスの流路の他方の口と前記第三の燃料ガス用バルブ１４０Ｃとの間には、ドレンセパレータ１２３が設けられている。
【００４１】
前記第二の燃料ガス用ライン１４２の、前記第二のサブスタック１１２の燃料ガスの流路の一方の口と前記第五の燃料ガス用バルブ１４０Ｅとの間には、ドレンセパレータ１２４が設けられている。
【００４２】
前記第三の燃料ガス用ライン１４３の、前記第二のサブスタック１１２の燃料ガスの流路の他方の口と前記第六の燃料ガス用バルブ１４０Ｆとの間には、ドレンセパレータ１２５が設けられている。
【００４３】
他方、図２に示すように、酸化ガスである濃度９９％以上の酸素ガス２を供給する酸化ガス供給手段である酸素ガス供給源１３１は、前記第一のサブスタック１１１のエンドフランジに形成された、酸化ガスの流路の一方の口に、第一の酸化ガス用ライン１５１を介して接続している。
【００４４】
前記第一のサブスタック１１１のエンドフランジに形成された、酸化ガスの流路の他方の口は、前記第二のサブスタック１１２のエンドフランジに形成された、酸化ガスの流路の他方の口に、第二の酸化ガス用ライン１５２を介して接続している。
【００４５】
前記第二のサブスタック１１２のエンドフランジに形成された、酸化ガスの流路の他方の口は、前記第一の酸化ガス用ライン１５１の途中に第三の酸化ガス用ライン１５３を介して接続している。
【００４６】
前記第二の酸化ガス用ライン１５２の途中と前記第三の酸化ガス用ライン１５３の途中とは、第五の酸化ガス用ライン１５５を介して接続している。
【００４７】
前記第一の酸化ガス用ライン１５１の前記第三の酸化ガス用ライン１５３との接続部分と前記第一のサブスタック１１１との間と、前記第三の酸化ガス用ライン１５３の前記第五の酸化ガス用ライン１５５との接続部分と前記第二のサブスタック１１２との間は、第四の酸化ガス用ライン１５４を介して接続している。
【００４８】
前記第二の酸化ガス用ライン１５２の前記第五の酸化ガス用ライン１５５との接続部分と前記第二のサブスタック１１２との間は、前記第四の酸化ガス用ライン１５４の途中に第六の酸化ガス用ライン１５６を介して接続している。
【００４９】
前記第一の酸化ガス用ライン１５１の、前記第三の酸化ガス用ライン１５３の接続部分と前記第四の酸化ガス用ライン１５４の接続部分との間には、当該間を断接する第一の酸化ガス用断接手段である第一の酸化ガス用バルブ１５０Ａが設けられている。
【００５０】
前記第一の酸化ガス用ライン１５１の、前記第三の酸化ガス用ライン１５３の接続部分及び前記第四の酸化ガス用ライン１５４の接続部分よりも前記第一のサブスタック１１１側、すなわち、前記第四の酸化ガス用ライン１５４の接続部分と前記第一のサブスタック１１１との間には、当該間を断接する第二の酸化ガス用断接手段である第二の酸化ガス用バルブ１５０Ｂが設けられている。
【００５１】
前記第二の酸化ガス用ライン１５２の、前記第五の酸化ガス用ライン１５５の接続部分及び前記第六の酸化ガス用ライン１５６の接続部分よりも前記第一のサブスタック１１１側、すなわち、前記第五の酸化ガス用ライン１５５の接続部分と前記第一のサブスタック１１１との間には、当該間を断接する第三の酸化ガス用断接手段である第三の酸化ガス用バルブ１５０Ｃが設けられている。
【００５２】
前記第二の酸化ガス用ライン１５２の、前記第五の酸化ガス用ライン１５５の接続部分と前記第六の酸化ガス用ライン１５６の接続部分との間には、当該間を断接する第四の酸化ガス用断接手段である第四の酸化ガス用バルブ１５０Ｄが設けられている。
【００５３】
前記第二の酸化ガス用ライン１５２の、前記第五の酸化ガス用ライン１５５の接続部分及び前記第六の酸化ガス用ライン１５６の接続部分よりも前記第二のサブスタック１１２側、すなわち、前記第六の酸化ガス用ライン１５６の接続部分と前記第二のサブスタック１１２との間には、当該間を断接する第五の酸化ガス用断接手段である第五の酸化ガス用バルブ１５０Ｅが設けられている。
【００５４】
前記第三の酸化ガス用ライン１５３の、前記第二のサブスタック１１２と前記第四の酸化ガス用ライン１５４の接続部分との間には、当該間を断接する第六の酸化ガス用断接手段である第六の酸化ガス用バルブ１５０Ｆが設けられている。
【００５５】
前記第三の酸化ガス用ライン１５３の、前記第四の酸化ガス用ライン１５４の接続部分と前記第五の酸化ガス用ライン１５５の接続部分との間には、当該間を断接する第七の酸化ガス用断接手段である第七の酸化ガス用バルブ１５０Ｇが設けられている。
【００５６】
前記第三の酸化ガス用ライン１５３の、前記第一の酸化ガス用ライン１５１の接続部分と前記第五の酸化ガス用ライン１５５の接続部分との間には、当該間を断接する第八の酸化ガス用断接手段である第八の酸化ガス用バルブ１５０Ｈが設けられている。
【００５７】
前記第四の酸化ガス用ライン１５４の、前記第三の酸化ガス用ライン１５３の接続部分と前記第六の酸化ガス用ライン１５６の接続部分との間には、当該間を断接する第九の酸化ガス用断接手段である第九の酸化ガス用バルブ１５０Ｉが設けられている。
【００５８】
前記第四の酸化ガス用ライン１５４の、前記第一の酸化ガス用ライン１５１の接続部分と前記第六の酸化ガス用ライン１５６の接続部分との間には、当該間を断接する第十の酸化ガス用断接手段である第十の酸化ガス用バルブ１５０Ｊが設けられている。
【００５９】
前記第五の酸化ガス用ライン１５５の途中には、当該ライン１５５を断接する第十一の酸化ガス用断接手段である第十一の酸化ガス用バルブ１５０Ｋが設けられている。
【００６０】
前記第六の酸化ガス用ライン１５６の途中には、当該ライン１５６を断接する第十二の酸化ガス用断接手段である第十二の酸化ガス用バルブ１５０Ｌが設けられている。
【００６１】
前記第一の酸化ガス用ライン１５１の、前記第一のサブスタック１１１の酸化ガスの流路の一方の口と前記第二の酸化ガス用バルブ１５０Ｂとの間には、ドレンセパレータ１３２が設けられている。
【００６２】
前記第二の酸化ガス用ライン１５２の、前記第一のサブスタック１１１の酸化ガスの流路の他方の口と前記第三の酸化ガス用バルブ１５０Ｃとの間には、ドレンセパレータ１３３が設けられている。
【００６３】
前記第二の酸化ガス用ライン１５２の、前記第二のサブスタック１１２の酸化ガスの流路の一方の口と前記第五の酸化ガス用バルブ１５０Ｅとの間には、ドレンセパレータ１３４が設けられている。
【００６４】
前記第三の酸化ガス用ライン１５３の、前記第二のサブスタック１１２の酸化ガスの流路の他方の口と前記第六の酸化ガス用バルブ１５０Ｆとの間には、ドレンセパレータ１３５が設けられている。
【００６５】
そして、図１，２に示すように、前記バルブ１４０Ａ〜１４０Ｌ，１５０Ａ〜１５０Ｌは、燃料ガス用制御手段と酸化ガス用制御手段とを兼ねる制御装置１６０の出力部にそれぞれ電気的に接続されており、当該制御装置１４０は、燃料ガス用切換時期確認手段と酸化ガス用切換時期確認手段とを兼ねる内蔵された図示しないタイマからの情報（運転時間）に基づいて、当該バルブ１４０Ａ〜１４０Ｌ，１５０Ａ〜１５０Ｌの開閉を制御することができるようになっている（詳細は後述する）。
【００６６】
なお、本実施形態においては、前記ドレンセパレータ１２２〜１２５等により燃料ガス用気液分離手段を構成し、前記ドレンセパレータ１３２〜１３５等により酸化ガス用気液分離手段を構成している。
【００６７】
このような本実施形態に係る固体高分子形燃料電池発電システム１００の作動を次に説明する。なお、本実施形態においては、燃料ガス系統と酸化ガス系統とが同様な作動をすることから、以下、説明の煩雑化を避けるため、燃料ガス系統の作動を説明することにより、酸化ガス系統の作動の説明に代えることとする。
【００６８】
前記ガス供給源１２１から前記ガス１を送給すると共に、前記制御装置１６０を作動させると、当該制御装置１６０は、前記バルブ１４０Ｆ〜１４０Ｌを閉鎖すると共に前記バルブ１４０Ａ〜１４０Ｅを開放するように当該バルブ１４０Ａ〜１４０Ｌを制御する（図３Ａ参照）。
【００６９】
これにより、前記ガス供給源１２１からの前記ガス１が、前記ライン１４１を流通し、前記ドレンセパレータ１２２を経由して前記第一のサブスタック１１１の前記ガス流路の一方の口へ供給されて、各前記セパレータの各前記流路内を流通することにより、当該第一のサブスタック１１１において、電気化学反応を生じて電力を発生する。
【００７０】
そして、使用済みの上記ガス１（約１／２を使用された残りの約１／２）が、上記電気化学反応に伴って生じた水３と共に各上記流路を流通して、前記ガス流路の他方の口から排出され、前記ライン１４２を流通して前記ドレンセパレータ１２３で当該水３を分離された後、前記ドレンセパレータ１２４を経由して前記第二のサブスタック１１２の前記ガス流路の一方の口へ供給されて、各前記セパレータの各前記流路内を流通することにより、当該第二のサブスタック１１２において、電気化学反応を生じて電力を発生する。
【００７１】
このとき、前記第一のサブスタック１１１においては、前記ガス供給源１２１からの前記ガス１がそのままの状態で前記ガス流路の一方の口に供給されることから、前記セルの前記固体高分子電解質膜の、当該ガス流路の一方の口寄り部分が乾燥しやすくなると共に、前記第二のサブスタック１１２においては、前記ガス１（残りの約１／２）のほとんどが消費されて、前記ガス流路の他方の口から排出されるガスがほとんどないので、上記電気化学反応に伴って生じた水３が、前記ガス流路内の他方の口寄りに次第に滞留し始め、発電性能が低下するようになる。
【００７２】
ここで、前記制御装置１６０は、前記タイマからの情報に基づいて、予め設定された運転時間（例えば２分間）が経過すると、前記バルブ１４０Ｂ，１４０Ｅ〜１４０Ｈ，１４０Ｊ，１４０Ｌを開放すると共に、前記バルブ１４０Ａ，１４０Ｃ，１４０Ｄ，１４０Ｉ，１４０Ｋを閉鎖するように、当該バルブ１４０Ａ〜１４０Ｌを制御する（図３Ｂ参照）。
【００７３】
つまり、前記制御装置１４０は、前記ガス供給源１２１からの前記ガス１を、当該ガス１の流通方向下流側に位置する前記第二のサブスタック１１２の前記ガス流路の他方の口、すなわち、当該ガス１の流通方向下流側の口から当該第二のサブスタック１１２の当該ガス流路に供給すると共に、当該第二のサブスタック１１２の当該ガス流路を流通した前記ガス１を、当該ガス１の流通方向上流側に位置していた前記第一のサブスタック１１１の前記ガス流路に供給するように、前記バルブ１４０Ａ〜１４０Ｌを制御するのである。
【００７４】
これにより、前記ガス供給源１２１からの全流量の前記ガス１が、前記ライン１４３を流通し、前記ドレンセパレータ１２５を経由して前記第二のサブスタック１１２の前記ガス流路の他方の口へ供給されて、各前記セパレータの各前記流路内を流通することにより、当該第二のサブスタック１１２において、当該流路内に滞留している水３を押し出しつつ加湿されながら、電気化学反応を生じて電力を発生する。
【００７５】
そして、加湿された使用済みの上記ガス１（約１／２を使用された残りの約１／２）が、当該電気化学反応に伴って新たに生じた水３及び滞留していた上記水３と共に各上記流路を流通して、前記ガス流路の一方の口から排出され、前記ライン１４２を流通して前記ドレンセパレータ１２４で当該水３を分離された後、前記ライン１４６及び前記ライン１４４を介して前記ライン１４１に流入し、前記ドレンセパレータ１２２を経由して前記第一のサブスタック１１１の前記ガス流路の一方の口へ供給され、各前記セパレータの各前記流路内を流通することにより、当該第一のサブスタック１１１において、前記セルの前記固体高分子電解質膜の、当該ガス流路の一方の口寄り部分を含めた全体を加湿しつつ、電気化学反応を生じて電力を発生する。
【００７６】
このとき、前記第二のサブスタック１１２においては、前記供給源１２１からの全流量の前記ガス１が供給されるようになるので、前記流路内に滞留している水３が押し出されて、電気化学反応に伴って新たに生じた水３と共に排出されることから、発電性能の低下が防止されるようになると共に、前記第一のサブスタック１１１においては、前記第二のサブスタック１１２で加湿された前記ガス１が供給されるので、前記セルの前記固体高分子電解質膜の、当該ガス流路の一方の口寄り部分を含めた全体が加湿されることから、当該固体高分子膜の、当該ガス流路の一方の口寄り部分を含めた全体の劣化が抑制されるものの、今度は、新たに、上記第二のサブスタック１１２において、前記ガス供給源１２１からの前記ガス１がそのままの状態で前記ガス流路の他方の口に供給されることから、前記セルの前記固体高分子電解質膜の、当該ガス流路の他方の口寄り部分が乾燥しやすくなると共に、上記第一のサブスタック１１１において、供給された前記ガス１のほとんどが消費されて、前記ガス流路の他方の口から排出されるガスがほとんどなくなることから、上記電気化学反応に伴って生じた水３が、前記ガス流路内の他方の口寄りに次第に滞留し始め、発電性能が低下するようになる。
【００７７】
ここで、前記制御装置１６０は、前記タイマからの情報に基づいて、予め設定された運転時間（例えば、２分間）が経過すると、前記バルブ１４０Ｂ，１４０Ｃ，１４０Ｅ，１４０Ｈ，１４０Ｊ〜１４０Ｌを開放すると共に、前記バルブ１４０Ａ，１４０Ｄ，１４０Ｆ，１４０Ｇ，１４０Ｉを閉鎖するように、当該バルブ１４０Ａ〜１４０Ｌを制御する（図３Ｃ参照）。
【００７８】
つまり、前記制御装置１６０は、前記ガス供給源１２１からの全流量の前記ガス１の供給先を、当該ガス１の流通方向下流側に位置する前記第一のサブスタック１１１の前記ガス流路の他方の口、すなわち、当該ガス１の流通方向下流側の口から当該第一のサブスタック１１２の当該ガス流路に供給すると共に、当該第一のサブスタック１１１の当該ガス流路を流通した前記ガス１を、当該ガス１の流通方向上流側に位置していた前記第二のサブスタック１１２の前記ガス流路に供給するように、前記バルブ１４０Ａ〜１４０Ｌを制御するのである。
【００７９】
これにより、前記ガス供給源１２１からの全流量の前記ガス１が、前記ライン１４３及び前記ライン１４５を介して前記ライン１４２に流入し、前記ドレンセパレータ１２３を経由して前記第一のサブスタック１１１の前記ガス流路の他方の口へ供給されて、各前記セパレータの各前記流路内を流通することにより、当該第一のサブスタック１１１において、当該流路内に滞留している水３を押し出しつつ加湿されながら、電気化学反応を生じて電力を発生する。
【００８０】
そして、使用済みの前記ガス１（約１／２を使用された残りの約１／２）が、上記電気化学反応に伴って新たに生じた水３及び滞留していた上記水３と共に各上記流路を流通して、前記ガス流路の一方の口から排出され、前記ライン１４１を流通して前記ドレンセパレータ１２２で当該水３を分離された後、前記ライン１４４及び前記ライン１４６を介して前記ライン１４２に流入し、前記ドレンセパレータ１２４を経由して前記第二のサブスタック１１２の前記ガス流路の一方の口へ供給され、各前記セパレータの各前記流路内を流通することにより、当該第二のサブスタック１１２において、前記セルの前記固体高分子電解質膜の、当該ガス流路の一方の口寄り部分を含めた全体を加湿しつつ、電気化学反応を生じて電力を発生する。
【００８１】
このとき、前記第一のサブスタック１１１においては、前記供給源１２１からの全流量の前記ガス１が供給されるようになるので、前記流路内に滞留している水３が押し出されて、電気化学反応に伴って新たに生じた水３と共に排出されることから、発電性能の低下が防止されるようになると共に、前記第二のサブスタック１１２においては、前記第一のサブスタック１１１で加湿された前記ガス１が供給されるので、前記セルの前記固体高分子電解質膜の、当該ガス流路の一方の口寄り部分を含めた全体が加湿されることから、当該固体高分子膜の、当該ガス流路の一方の口寄り部分を含めた全体の劣化が抑制されるものの、今度は、再び、上記第一のサブスタック１１１において、前記ガス供給源１２１からの前記ガス１がそのままの状態で前記ガス流路の他方の口に供給されることから、前記セルの前記固体高分子電解質膜の、当該ガス流路の他方の口寄り部分が乾燥しやすくなると共に、前記第二のサブスタック１１２において、供給された前記ガス１のほとんどが消費されて、前記ガス流路の他方の口から排出されるガスがほとんどなくなるので、上記電気化学反応に伴って生じた水３が、前記流路内に次第に滞留し始め、発電性能が低下するようになる。
【００８２】
ここで、前記制御装置１６０は、前記タイマからの情報に基づいて、予め設定された運転時間（例えば、２分間）が経過すると、前記バルブ１４０Ｃ〜１４０Ｈを開放すると共に、前記バルブ１４０Ａ，１４０Ｂ，１４０Ｉ〜１４０Ｌを閉鎖するように、当該バルブ１４０Ａ〜１４０Ｌを制御する（図３Ｄ参照）。
【００８３】
つまり、前記制御装置１６０は、前記ガス供給源１２１からの全流量の前記ガス１の供給先を、当該ガス１の流通方向下流側に位置する前記第二のサブスタック１１２の前記ガス流路の他方の口、すなわち、当該ガス１の流通方向下流側の口から当該第二のサブスタック１１２の当該ガス流路に供給すると共に、当該第二のサブスタック１１２の当該ガス流路を流通した前記ガス１を、当該ガス１の流通方向上流側に位置していた前記第一のサブスタック１１１の前記ガス流路に供給するように、前記バルブ１４０Ａ〜１４０Ｌを制御するのである。
【００８４】
これにより、前記ガス供給源１２１からの全流量の前記ガス１が、前記ライン１４３を介して前記ライン１４２に流入し、前記ドレンセパレータ１２５を経由して前記第二のサブスタック１１２の前記ガス流路の他方の口へ供給されて、各前記セパレータの各前記流路内を流通することにより、当該第二のサブスタック１１２において、当該流路内に滞留している水３を押し出しつつ加湿されながら、電気化学反応を生じて電力を発生する。
【００８５】
そして、使用済みの前記ガス１（約１／２を使用された残りの約１／２）が、上記電気化学反応に伴って新たに生じた水３及び滞留していた上記水３と共に各上記流路を流通して、前記ガス流路の一方の口から排出され、前記ライン１４２を流通して前記ドレンセパレータ１２４で当該水３を分離された後、前記ドレンセパレータ１２３を経由して前記第一のサブスタック１１１の前記ガス流路の他方の口へ供給され、各前記セパレータの各前記流路内を流通することにより、当該第一のサブスタック１１１において、前記セルの前記固体高分子電解質膜の、当該ガス流路の他方の口寄り部分を含めた全体を加湿しつつ、電気化学反応を生じて電力を発生する。
【００８６】
以下、制御装置１４０は、前記タイマからの情報に基づいて、予め設定された運転時間（例えば、２分間）が経過すると、図３Ｅ，図３Ｆ，図３Ｇ，図３Ｈに示すように前記バルブ１４０Ａ〜１４０Ｌの開閉制御を順次行った後、図３Ａに示した前記バルブ１４０Ａ〜１４０Ｌの開閉制御を再び行って、一連の上記バルブ１４０Ａ〜１４０Ｌの開閉制御を繰り返す。
【００８７】
これにより、前記固体高分子形燃料電池１１０は、前記ガス供給源１２１からの前記ガス１を、当該ガス１の流通方向下流側に位置する前記第一のサブスタック１１１及び前記第二のサブスタック１１２の一方のサブスタックの前記ガス流路の当該ガス１の流通方向下流側の口から当該一方のサブスタックの当該ガス流路に供給されると共に、当該一方のサブスタックの当該ガス流路を流通した前記ガス１を、前記第一のサブスタック１１１及び前記第二のサブスタック１１２の他方のサブスタックの前記ガス流路に供給されるように定期的に切り換えられるのである。
【００８８】
このため、本実施形態に係る固体高分子形燃料電池発電システム１００においては、ブロアやエジェクタ等のガス循環装置がなくても、前記サブスタック１１１，１１２内に生成した前記水３を当該サブスタック１１１，１１２内から排出することができるのはもちろんのこと、加湿器等がなくても、前記ガス供給源１２１から送給される前記ガス１を前記サブスタック１１１，１１２内に加湿して供給することができると共に、前記ガス供給源１２１からそのままの状態で前記ガス１を供給される前記サブスタック１１１，１１２の前記ガス流路の口を従来（２箇所）よりも増やすことができるので（４箇所）、前記サブスタック１１１，１１２の前記セルの前記固体高分子電解質膜の、前記ガス流路の口寄り部分の劣化を抑制することができる。
【００８９】
したがって、本実施形態に係る固体高分子形燃料電池発電システム１００によれば、長期間にわたって連続して発電運転を行なっても、固体高分子電解質膜の寿命の低下を大幅に抑制することができる。
【００９０】
［他の実施形態］
なお、前述した実施形態においては、前記制御装置１６０が、前記バルブ１４０Ａ〜１４０Ｌ，１５０Ａ〜１５０Ｌの開閉制御を図３Ａ〜図３Ｈの順に繰り返し行うことにより、前記ガス供給源１２１，１３１からの前記ガス１，２を、当該ガス１，２の流通方向下流側に位置する前記第一のサブスタック１１１及び前記第二のサブスタック１１２の一方のサブスタックの前記ガス流路の当該ガス１，２の流通方向下流側の口から当該一方のサブスタックの当該ガス流路に供給すると共に、当該一方のサブスタックの当該ガス流路を流通した前記ガス１，２を、前記第一のサブスタック１１１及び前記第二のサブスタック１１２の他方のサブスタックの前記ガス流路に供給することを定期的に切り替えるようにしたが、他の実施形態として、例えば、下記の表１に示す他の実施形態１〜９の各手順で前記バルブ１４０Ａ〜１４０Ｌ，１５０Ａ〜１５０Ｌの開閉制御を繰り返し行うことにより、前記ガス供給源１２１，１３１からの前記ガス１，２を、当該ガス１，２の流通方向下流側に位置する前記第一のサブスタック１１１及び前記第二のサブスタック１１２の一方のサブスタックの前記ガス流路の当該ガス１，２の流通方向下流側の口から当該一方のサブスタックの当該ガス流路に供給すると共に、当該一方のサブスタックの当該ガス流路を流通した前記ガス１，２を、前記第一のサブスタック１１１及び前記第二のサブスタック１１２の他方のサブスタックの前記ガス流路に供給することを定期的に切り替えることも可能である。
【００９１】
【表１】
0005798879.tif 000002
【００９２】
また、前述した実施形態においては、前記第一のライン１４１，１５１の、前記第三のライン１４３，１５３の接続部分と前記第一のサブスタック１１１との間に、前記第四のライン１４４，１５４を接続するようにしたが、他の実施形態として、前記第一のライン１４１，１５１の前記第三のライン１４３，１５３との接続部分と前記ガス供給源１２１，１３１との間に、前記第四のラインを接続することも可能である。
【００９３】
また、前述した実施形態においては、前記第二のライン１４２，１５２の、前記第五のライン１４５，１５５の接続部分と前記第二のサブスタック１１２との間に、前記第六のライン１４６，１５６を接続するようにしたが、他の実施形態として、前記第二のライン１４２，１５２の、前記第五のライン１４５，１５５の接続部分と前記第一のサブスタック１１１との間に、前記第六のラインを接続することも可能である。
【００９４】
また、前述した各実施形態では、運転時間を計測する前記タイマを燃料ガス用切換時期確認手段や酸化ガス用切換時期確認手段として前記制御装置１６０に内蔵させ、当該制御装置１６０が、当該タイマからの情報に基づいて、予め設定された運転時間の経過により、前記バルブ１４０Ａ〜１４０Ｌの開閉を制御するようにしたが、他の実施形態として、例えば、以下のようにすること等によっても、前述した各実施形態の場合と同様な作用効果を得ることができる。
【００９５】
（１）燃料ガス用切換時期確認手段や酸化ガス用切換時期確認手段として、前記サブスタックの前記セルの電圧値を計測するセル電圧計測手段を設け、燃料ガス用制御手段や酸化ガス用制御手段が、当該セル電圧計測手段からの情報に基づいて、前記ガス流通方向下流側に位置する前記サブスタックのセル電圧が、予め設定されたセル電圧変化量（例えば、上流側に位置していたときを１として、−０．０２５）になったときに、前記断接手段を制御するようにする（例えば、特開２００２−１５１１２５号公報等に記載されている技術の応用）。
【００９６】
（２）燃料ガス用切換時期確認手段や酸化ガス用切換時期確認手段として、前記サブスタックの前記セルの抵抗値を計測するセル抵抗計測手段を設け、燃料ガス用制御手段や酸化ガス用制御手段が、当該セル抵抗計測手段からの情報に基づいて、前記ガス流通方向下流側に位置する前記サブスタックのセル抵抗が、予め設定されたセル抵抗変化量（例えば、上流側に位置していたときを１として、＋０．０１５）になったときに、前記断接手段を制御するようにする。
【００９７】
また、前述した実施形態では、水素ガス１そのものを燃料ガスとして使用すると共に、酸素ガス２そのものを酸化ガスとして使用する場合について説明したが、他の実施形態として、例えば、水素ガス１そのものを燃料ガスとして使用すると共に、酸素ガス以外の成分を比較的多く含む酸化ガス（酸素ガス濃度９９％未満、例えば空気等）を使用する場合には、燃料ガス系統のみ前述した実施形態のように構成することや、水素ガス以外の成分を比較的多く含む燃料ガス（水素ガス濃度９９％未満、例えば炭化水素の改質ガス等）を使用すると共に、酸素ガス２そのものを酸化ガスとして使用する場合には、酸化ガス系統のみ前述した実施形態のように構成することも可能である。
【００９８】
さらに、水素ガス１そのものを燃料ガスとして使用すると共に、酸素ガス２そのものを酸化ガスとして使用する場合であっても、燃料ガス系統及び酸化ガス系統のいずれか一方のみを前述した実施形態のように構成することも可能である。このとき、水素ガス１側よりも酸素ガス２側の方が水３を多く生じやすいため、少なくとも酸化ガス系統を前記した実施形態のように構成することが好ましい。
【００９９】
しかしながら、燃料ガス系統及び酸化ガス系統の両方共に前述した実施形態のように構成すれば、酸化ガス系統側よりも少ないながらも燃料ガス系統側に生じる水３も確実に排出することができると共に、燃料ガス系統側と酸化ガス系統側との間の差圧をできるだけ小さくすることが可能となるので、非常に好ましい。
【産業上の利用可能性】
【０１００】
本発明に係る固体高分子形燃料電池発電システムは、長期間にわたって連続して発電運転を行なっても、固体高分子電解質膜の寿命の低下を大幅に抑制することができるので、産業上、極めて有益に利用することができる。
【符号の説明】
【０１０１】
１  水素ガス
２  酸素ガス
３  水
１００  固体高分子形燃料電池発電システム
１１０  固体高分子形燃料電池
１１１  第一のサブスタック
１１２  第二のサブスタック
１２１  水素ガス供給源
１２２〜１２５  ドレンセパレータ
１３１  酸素ガス供給源
１３２〜１３５  ドレンセパレータ
１４０Ａ  第一の燃料ガス用バルブ
１４０Ｂ  第二の燃料ガス用バルブ
１４０Ｃ  第三の燃料ガス用バルブ
１４０Ｄ  第四の燃料ガス用バルブ
１４０Ｅ  第五の燃料ガス用バルブ
１４０Ｆ  第六の燃料ガス用バルブ
１４０Ｇ  第七の燃料ガス用バルブ
１４０Ｈ  第八の燃料ガス用バルブ
１４０Ｉ  第九の燃料ガス用バルブ
１４０Ｊ  第十の燃料ガス用バルブ
１４０Ｋ  第十一の燃料ガス用バルブ
１４０Ｌ  第十二の燃料ガス用バルブ
１４１  第一の燃料ガス用ライン
１４２  第二の燃料ガス用ライン
１４３  第三の燃料ガス用ライン
１４４  第四の燃料ガス用ライン
１４５  第五の燃料ガス用ライン
１４６  第六の燃料ガス用ライン
１５０Ａ  第一の酸化ガス用バルブ
１５０Ｂ  第二の酸化ガス用バルブ
１５０Ｃ  第三の酸化ガス用バルブ
１５０Ｄ  第四の酸化ガス用バルブ
１５０Ｅ  第五の酸化ガス用バルブ
１５０Ｆ  第六の酸化ガス用バルブ
１５０Ｇ  第七の酸化ガス用バルブ
１５０Ｈ  第八の酸化ガス用バルブ
１５０Ｉ  第九の酸化ガス用バルブ
１５０Ｊ  第十の酸化ガス用バルブ
１５０Ｋ  第十一の酸化ガス用バルブ
１５０Ｌ  第十二の酸化ガス用バルブ
１５１  第一の酸化ガス用ライン
１５２  第二の酸化ガス用ライン
１５３  第三の酸化ガス用ライン
１５４  第四の酸化ガス用ライン
１５５  第五の酸化ガス用ライン
１５６  第六の酸化ガス用ライン
１６０  制御装置
【図１】
0005798879.tif 000003
【図２】
0005798879.tif 000004
【図３Ａ】
0005798879.tif 000005
【図３Ｂ】
0005798879.tif 000006
【図３Ｃ】
0005798879.tif 000007
【図３Ｄ】
0005798879.tif 000008
【図３Ｅ】
0005798879.tif 000009
【図３Ｆ】
0005798879.tif 000010
【図３Ｇ】
0005798879.tif 000011
【図３Ｈ】
0005798879.tif 000012